(57)【要約】      （修正有）【課題】１回の撮影で数多くの画像が生成される、ブラケット撮影と連続撮影を組み合わせた撮影において、タブレットやスマートフォンを用いて、これらの画像を表示領域内に効率良く表示する。【解決手段】ブラケット設定枚数と、連続撮影の回数と、表示領域の辺の長さに応じて、連続撮影と露出の設定値Ｅの異なるブラケットで撮影した画像群を並べる方向を異ならせる。ブラケットの設定枚数と連続撮影した回数が多い方を画像を、表示領域の辺が長い方向に合わせて表示する。【選択図】図３（ｂ）
2016192613.tif 000002
【特許請求の範囲】
【請求項１】
ブラケットと連続撮影を組み合わせて撮影した画像群を表示するアプリケーションにおいて、前記画像群を表示する表示手段と、ブラケットの設定枚数を取得する手段と、連続撮影した回数を取得する手段とを持ち、前記ブラケット設定枚数と、前記連続撮影の回数と、画像表示領域の辺の長さに応じて、１回の連続撮影の間にブラケットで撮影した画像群を所定方向に並べて表示し、前記方向とは異なる方向に、連続撮影した画像群を並べて表示することを特徴とする画像表示方法。
【請求項２】
ブラケットの設定枚数と連続撮影した回数を比較して、ブラケットの設定枚数が多い場合は、表示領域の辺が長い方向に合わせてブラケットの設定を変えた画像を並べて表示し、連続撮影した回数が多い場合は、表示領域の辺が長い方向に合わせて連続撮影した画像を並べて表示することを特徴する請求項1に記載の画像表示方法。
【請求項３】
画像の辺の長さを取得する手段を持ち、画像の辺の長さも条件に加えて、画像を並べる方向を決定することを特徴する請求項1に記載の画像表示方法。
【請求項４】
表示領域内に全画像を表示することが出来る画像サイズを算出する手段を持ち、算出した画像サイズに従って画像を表示することを特徴する請求項３に記載の画像表示方法。
【請求項５】
１回の連続撮影の間にブラケットで撮影した画像群を並べる方向と、連続撮影した画像群を並べる方向を入れ替える手段を持つを特徴する請求項１に記載の画像表示方法。
【請求項６】
表示している画像群の一枚を選択する手段を持ち、前記画像選択手段で画像を選択すると、前記選択画像を拡大表示する表示モードに遷移することを特徴する請求項1に記載の画像表示方法。
【請求項７】
拡大画像を表示すると共に、同一の連続撮影の中で撮影したブラケットの設定値のみが異なる候補画像群を所定方向に並べて表示して、同一のブラケット設定値で撮影した他の連続撮影した候補画像群を、前記方向とは異なる方向に並べて表示することを特徴する請求項６に記載の画像表示方法。
【請求項８】
所定操作によって拡大画像を異なる画像に切り替える手段を持ち、前記画像切り替え手段で画像を切り替えると、拡大画像を更新すると共に、 ２つの前記候補画像群も更新することを特徴する請求項７に記載の画像表示方法。
【請求項９】
拡大画像の一部分を拡大表示する手段と、部分拡大画像を異なる画像に切り替える手段とを持ち、画像の一部分を拡大表示している状態で異なる画像に切り替えた場合は、切り替える前の画像と同じ位置を同じ拡大率で表示することを特徴する請求項7に記載の画像表示方法。
【請求項１０】
表示している画像群の一枚を選択する手段と、ブラケットまたは連続撮影の設定値を固定するための撮影条件選択手段とを持ち、前記画像選択手段で画像を選択すると、撮影条件を選択する所定モードに遷移し、前記撮影条件選択手段によって撮影条件を選択すると、前記選択画像を拡大表示すると共に、前記撮影条件選択手段で選択した撮影条件が、拡大画像の設定値と同一である候補画像群を表示することを特徴する請求項1に記載の画像表示方法。
【請求項１１】
ブラケット設定が複数であるかを判定する手段と、画像の表示条件を設定する手段とを持ち、ブラケット設定が複数であると判定した場合は、画像の表示条件を選択する所定モードに遷移し、表示条件を選択すると、前記表示条件設定手段で設定された画像群を所定方向に並べて表示することを特徴する請求項１に記載の画像表示方法。
【請求項１２】
表示している画像群の一枚を選択する手段を持ち、前記画像選択手段で画像を選択すると、前記選択画像を拡大表示すると共に、表示条件設定手段で選択されていない設定条件のみが異なる画像群を並べて表示することを特徴する請求項１１に記載の画像表示方法。
【発明の詳細な説明】
【技術分野】
【０００１】
本発明は、画像を表示する方法に関する。
【背景技術】
【０００２】
所望の瞬間を撮り逃さないために、露出やホワイトバランスを変えたブラケット撮影と、短い間隔での連続撮影を組み合わせて撮影することがある。このようなブラケットと連続撮影を組み合わせて撮影すると、一回の撮影で数多くの画像が生成される。ここで、タブレットやスマートフォンを用いて、これらの画像群の中から所望の画像を探すことが考えられる。
【０００３】
特許文献１では、第一の撮影条件と第二の撮影条件をそれぞれ変えてブラケット撮影するカメラにおいて、第一の撮影条件に沿って画像を縦方向に並べて表示し、第二の撮影条件に沿って画像を横方向に並べて表示することが出来る。また、撮影条件に応じた順番に画像を表示することが出来る。
【先行技術文献】
【特許文献】
【０００４】
【特許文献１】特開2002-51250号公報
【発明の概要】
【発明が解決しようとする課題】
【０００５】
特許文献１では、撮影条件の設定枚数によっては、表示領域に効率良く画像を表示することが出来るかが分からない。特に、タブレットやスマートフォンは、縦と横のどちらの方向でも使うことが出来るため、その時々によって、最適な方向に画像を並べて表示することが望ましい。
【課題を解決するための手段】
【０００６】
本発明の画像表示方法は、ブラケットと連続撮影を組み合わせて撮影した画像群を表示するアプリケーションにおいて、前記画像群を表示する表示手段と、ブラケットの設定枚数を取得する手段と、連続撮影した回数を取得する手段とを持ち、前記ブラケット設定枚数と、前記連続撮影の回数と、画像表示領域の辺の長さに応じて、１回の連続撮影の間にブラケットで撮影した画像群を所定方向に並べて表示し、前記方向とは異なる方向に、連続撮影した画像群を並べて表示することを特徴とする。
【発明の効果】
【０００７】
本発明の画像表示方法によれば、ブラケットと連続撮影を組み合わせて撮影した画像群を、限られた表示領域内に分かり易く表示することが出来る。
【図面の簡単な説明】
【０００８】
【図１】本発明の一実施形態に係るタブレットの構成を示す図である。
【図２（ａ）】本発明の一実施形態に係る連続撮影とブラケット撮影を組み合わせて撮影した画像群を示す図である。
【図２（ｂ）】本発明の一実施形態に係る連続撮影とブラケット撮影を組み合わせて撮影した画像群を示す図である。
【図３（ａ）】本発明の一実施形態に係る画像群を表示したタブレットを示す図である。
【図３（ｂ）】本発明の一実施形態に係る画像群を表示したタブレットを示す図である。
【図３（ｃ）】本発明の一実施形態に係る画像群を表示したタブレットを示す図である。
【図３（ｄ）】本発明の一実施形態に係る画像群を表示したタブレットを示す図である。
【図４】本発明の一実施形態に係る表示装置に画像群を表示する手順を示したフローチャートである。
【図５（ａ）】本発明の一実施形態に係る画像群の属性情報を示す図である。
【図５（ｂ）】本発明の一実施形態に係る画像群の属性情報を示す図である。
【図６（ａ）】本発明の一実施形態に係るタブレットに表示する画像群の表示サイズを求めるフローチャートである。
【図６（ｂ）】本発明の一実施形態に係るタブレットに表示する画像群の表示サイズを求めるフローチャートである。
【図７】本発明の一実施形態に係る表示サイズを最大で表示した画像群を示す図である。
【図８（ａ）】本発明の一実施形態に係る画像群を並べる方向を変えたタブレットを示す図である。
【図８（ｂ）】本発明の一実施形態に係る画像群を並べる方向を変えたタブレットを示す図である。
【図９】本発明の一実施形態に係る画像群を並べる方向を変える際の画像表示サイズを求めるフローチャートである。
【図１０（ａ）】本発明の一実施形態に係る拡大画像と候補画像群を表示したタブレットを示す図である。
【図１０（ｂ）】本発明の一実施形態に係る拡大画像と候補画像群を表示したタブレットを示す図である。
【図１０（ｃ）】本発明の一実施形態に係る拡大画像と候補画像群を表示したタブレットを示す図である。
【図１０（ｄ）】本発明の一実施形態に係る拡大画像と候補画像群を表示したタブレットを示す図である。
【図１０（ｅ）】本発明の一実施形態に係る拡大画像と候補画像群を表示したタブレットを示す図である。
【図１０（ｆ）】本発明の一実施形態に係る拡大画像と候補画像群を表示したタブレットを示す図である。
【図１１（ａ）】本発明の一実施形態に係る拡大画像を表示する処理を示したフローチャートである。
【図１１（ｂ）】本発明の一実施形態に係る拡大画像を表示する処理を示したフローチャートである。
【図１１（ｃ）】本発明の一実施形態に係る拡大画像を表示する処理を示したフローチャートである。
【図１１（ｄ）】本発明の一実施形態に係る拡大画像を表示する処理を示したフローチャートである。
【図１２】本発明の一実施形態に係る画像の表示情報を示す図である。
【図１３（ａ）】本発明の一実施形態に係るブラケットまたは連続撮影の設定値を固定して表示したタブレットを示す図である。
【図１３（ｂ）】本発明の一実施形態に係るブラケットまたは連続撮影の設定値を固定して表示したタブレットを示す図である。
【図１３（ｃ）】本発明の一実施形態に係るブラケットまたは連続撮影の設定値を固定して表示したタブレットを示す図である。
【図１４（ａ）】本発明の一実施形態に係るブラケットまたは連続撮影の設定値を固定して表示する処理を示したフローチャートである。
【図１４（ｂ）】本発明の一実施形態に係るブラケットまたは連続撮影の設定値を固定して表示する処理を示したフローチャートである。
【図１５（ａ）】本発明の一実施形態に係る複数のブラケット設定を持つ画像群を表示する際のタブレットを示す図である。
【図１５（ｂ）】本発明の一実施形態に係る複数のブラケット設定を持つ画像群を表示する際のタブレットを示す図である。
【図１５（ｃ）】本発明の一実施形態に係る複数のブラケット設定を持つ画像群を表示する際のタブレットを示す図である。
【図１６】本発明の一実施形態に係る複数のブラケット設定を持つ画像群を表示する処理を示したフローチャートである。
【発明を実施するための形態】
【０００９】
本発明の実施形態について説明する。ここでは、露出ブラケットと連続撮影を組み合わせて撮影した画像群をタブレットに取り込んで、タブレット上のアプリケーションで所望の画像を探す場合を例にして説明する。
【００１０】
図１は本発明の一実施形態に係る装置の構成を示すブロック図である。１００は、画像群を取り込んだタブレットである。１０１はＣＰＵである。１０３は、フラッシュメモリなどの二次記憶装置であり、ＣＰＵを動かすプログラムを格納する。１０２は、ＲＡＭなどの一次記憶装置であり、二次記憶装置から読み込まれたプログラムが格納される。１０４は、液晶ディスプレーなどの表示部であり、アプリケーションのＧＵＩを表示する。１０５は、タブレットを操作するための操作部であり、アプリケーションの操作を行う。なお、近年のタブレットでは、表示部１０４と操作部１０５が一体となっていることが一般的である。
【００１１】
図２（a）は露出ブラケットと連続撮影を組み合わせて撮影した、計３０枚の画像群である。本実施例では、この画像群をタブレット１００に取り込んだ場合を例にして説明する。この画像群は、露出ブラケットとして５段階の設定を行っている。露出を変えて撮影した５枚の画像が２００〜２０４である。露出を変えて撮影していることで、段々と画像が明るくなっていることが分かる。また、この画像群は６回の連続撮影を行っている。露出を固定して連続撮影した画像が２００、２０５〜２０９である。一定の間隔を空けて連続撮影していることで、段々と被写体のスキーヤーの位置が変わっていることが分かる。なお、露出と連続撮影を組み合わせて撮影する場合は、撮影中に撮像装置の向きを変えることは考えづらい。従って、撮影した画像群は縦横が全て同じサイズであるものとする。
【００１２】
このように、露出ブラケットと連続撮影を組み合わせて撮影することで、所望の瞬間を撮り逃さないように撮影することが出来るが、撮影した画像群の中から所望の画像を探す必要が出てくる。ここでは、タブレット３００に画像群を取り込んで、所望の画像を探すものとする。なお、３０１がタブレットの表示部兼、操作部である。ここで、表示領域３０１は、縦が１２００ピクセル、横が２０００ピクセルの表示画素数を持っているものとする。また、説明の便宜上、図２（ａ）の画像群を図２（ｂ）の画像群に置き換えて説明する。ここで、画像２１０は画像２００に、画像２１１は画像２０１のように対応している。
【００１３】
図中の「Ｅ」は露出の設定値を示しており、画像２１０〜２１４において、それぞれ「−２」「−１」「±０」「＋１」「＋２」の露出値となっている。また、図中の「Ｔ」は撮影時刻を示しており、画像２１０、２１５〜２１９において、それぞれ「１」「２」「３」「４」「５」「６」の値を示している。画像の露出値と撮影時刻は画像内に埋め込まれているものであり、タブレット上のアプリケーションは、これらの値を取得できるものとする。図５（ａ）は、取り込んだ画像群の露出値と撮影時刻を表にまとめたものである。画像２１０は５０１に、画像２１１は５０２のように対応している。
【００１４】
図４はタブレットの縦と横方向に並べる画像群を決定するためのフローチャートである。
【００１５】
ステップ４００でＣＰＵ１０１は、画像群を連続撮影した設定枚数を取得する。連続撮影した設定枚数は、図５（ａ）の「連続撮影」属性で設定されている値の数から求めることができる。連続撮影の設定値は１〜６となっているため、連続撮影の設定枚数Ａは６となる。
【００１６】
次にステップ４０１でＣＰＵ１０１は、画像群をブラケット撮影した設定枚数を取得する。露出の設定枚数は、図５（ａ）の「露出」属性で設定されている個数から求めることができる。露出の設定値は「−２」「−１」「±０」「＋１」「＋２」の５つであるため、露出の設定枚数Ｂは５となる。
【００１７】
次にステップ４０２でＣＰＵ１０１は、タブレットの表示領域の辺の長さをを取得する。図３より、タブレットは横向きになっているため、横Ｘの値が２０００、縦Ｙの値が１２００となる。
【００１８】
次にステップ４０３でＣＰＵ１０１は、Ａ、Ｂ、Ｘ、Ｙの値を比較する。ステップ４０１〜４０３で求めたＡ、Ｂ、Ｘ、Ｙの値を比較すると、Ａ＞Ｂ、Ｘ＞Ｙとなるので、ステップ４０４へ進む。
【００１９】
ステップ４０４でＣＰＵ１０１は、横方向に連続撮影した画像を、縦方向に露出の異なる画像を並べて表示する。このように並べたものが図３（ｂ）である。図３（ｂ）を見ると、撮影時刻の異なる画像が横方向に並んでおり、また、露出の異なる画像が縦方向に並んでいることが分かる。図２（ｂ）の画像２１０は３１０に、画像２１１は３１１に対応していることが分かる。このように並べることで、表示領域内に効率良く画像を並べて表示することができる。また、タブレットが縦向きであった場合は、Ｘの値が１２００、Ｙの値が２０００となり、Ａ＞Ｂ、Ｘ＜Ｙとなる。従って、ステップ４０５へ進むことになる。
【００２０】
ステップ４０５でＣＰＵ１０１は、横方向に露出を変えた画像を、縦方向に連続撮影した画像を並べて表示する。このように並べたものが図３（ｃ）である。露出の異なる画像が横方向に並んでおり、また、撮影時刻の異なる画像が縦方向に並んでいることが分かる。このようにして、タブレットが縦、横のどちらの向きであっても、その時々に応じて最適な方向に撮影画像を並べて表示することが出来る。ここで、Ａ、Ｂ、Ｘ、Ｙの値と画像を並べる方向をまとめたものが、図３（ｄ）になる。図３（ｂ）に相当するのが３２０、図３（ｃ）に相当するのが３２１となる。また、連続撮影の設定枚数Ａより露出の設定枚数Ｂの方が大きい場合は、表示領域の辺の長い方向に合わせて露出の異なる画像を並べて表示する。従って、３２２のようにタブレットが横向きであれば、露出の異なる画像を横方向に並べて、撮影時刻の異なる画像を縦方向に並べる。また、３２３のようにタブレットが縦向きであれば、撮影時刻の異なる画像を横方向に並べて、露出の異なる画像を縦方向に並べる。
【００２１】
前述の説明では、ブラケットと連続撮影の設定枚数に応じて、表示領域内に画像を並べる方向を動的に変更できるようにした。ここで、画像を表示する際は、表示領域内に収まるような最大のサムネイルサイズで表示することがユーザーにとって望ましい。そこで、画像の縦横比も考慮して、表示領域内に収まる最大のサムネイルサイズと表示方向を決定する手順について説明する。ここで、取り込む画像群は、露出の設定枚数が５枚で連続撮影の設定枚数が４枚の計２０枚の画像群であるものとする。また、画像１枚のサイズは縦２０００ピクセル、横３０００ピクセルで、縦横比が２：３であるものとする。また、タブレットの表示領域は、縦が１２００ピクセル、横が２０００ピクセルの表示画素数であるものとする。
【００２２】
図６（ａ）は表示領域内に全画像を表示できる最大のサムネイルサイズと、画像を並べる方向を決定するためのフローチャートである。
【００２３】
ステップ６００でＣＰＵ１０１は、連続撮影またはブラケット撮影のうち、設定枚数の多い画像を横方向に並べた場合の最大サムネイルサイズＰを算出する。ステップ６００を詳細に説明したものが図６（ｂ）のフローチャートである。
【００２４】
ステップ６１０でＣＰＵ１０１は、表示領域の縦の辺に合わせた最大サムネイルサイズＭを算出する。設定枚数の多い画像を横方向に並べるので、縦方向には撮影時刻の異なる４枚の画像を並べて表示する。タブレットの表示領域の縦の長さは１２００ピクセルであるため、縦の辺のみを考慮した場合の最大のサムネイルサイズＭは、縦３７５ピクセル、横５６２ピクセルとなる。
【００２５】
次にステップ６１１でＣＰＵ１０１は、表示領域の横の辺に合わせた最大サムネイルサイズＮを算出する。設定枚数の多い画像を横方向に並べるので、横方向には露出の異なる５枚の画像を並べて表示する。タブレットの表示領域の横の長さは２０００ピクセルであるため、横の辺のみを考慮した場合の最大のサムネイルサイズＮは、縦２６６ピクセル、横４００ピクセルとなる。
【００２６】
次にステップ６１２でＣＰＵ１０１は、ＭとＮの値を比較する。ここではＭ＞Ｎとなるため、ステップ６１３へ進む。
【００２７】
ステップ６１３でＣＰＵ１０１は、Ｎを最大サムネイルサイズとする。ここでＭとＮを比較しているのは、表示領域内に画像が収まるサムネイルサイズを算出するためである。例えば、サムネイルサイズＭの場合、表示領域の縦方向には画像が収まるが、横方向には画像が収まらなくなってしまう。このように、ＭとＮを比較して、小さい方に合わせたサムネイルサイズを求める。
【００２８】
図６（ａ）の説明に戻る。前述のようにして、ステップ６００で縦２６６ピクセル、横４００ピクセルの最大サムネイルサイズが求まる。
【００２９】
次にステップ６０１でＣＰＵ１０１は、設定枚数の多い画像を縦方向に並べた場合の最大サムネイルサイズＱを算出する。ここでの最大サムネイルサイズの算出方法は、ステップ６００と同様に図６（ｂ）のフローチャートに従う。図６（ｂ）のフローチャートに従って最大サムネイルサイズＱを算出すると、縦３００ピクセル、横４５０ピクセルが求まる。
【００３０】
次にステップ６０２でＣＰＵ１０１は、ＰとＱの値を比較する。ここではＰ＜Ｑとなるため、ステップ６０３へ進む。Ｐ＜Ｑであるということは、設定枚数の多い画像を横方向に並べた方が、サムネイルサイズを大きく出来るということになる。
【００３１】
ステップ６０３でＣＰＵ１０１は、設定枚数が多い画像を縦方向に並べて、設定枚数の少ない画像を横方向に並べて表示する。即ち、露出の異なる画像を縦方向に並べて表示し、撮影時刻の異なる画像を横方向に並べて表示する。このように画像を並べて表示したものが図７である。このようにして、連続撮影とブラケットの設定枚数だけでなく、画像の縦横比も考慮することで、更に効率的良く画像を表示することが出来る。なお、タブレット上にサムネイルを表示する際は、図７のようにサムネイルの表示間隔を空けても良い。
【００３２】
ここまでは、撮影した画像群を並べる方向を自動で決定してきた。ここで、ユーザーにとっては、自動的に決めた方向とは異なる方向に画像を並べた方が好ましい場合もある。そこで、画像を並べる方向を変えることの出来るボタンを設けたものが、図８（ａ）である。図８（ａ）を見ると分かるように、タブレット８００では、撮影時刻の異なる画像が横方向に、露出の異なる画像が縦方向に並んでいる。ここで、８０１は画像の表示方向を変更するボタンである。ボタン８０１を押下すると、図９のフローチャートに沿って、画像を並べる方向とサムネイルサイズを変更して画像を再表示する。図９のフローチャートについて説明する。
【００３３】
ステップ９００でＣＰＵ１０１は、縦方向に表示している画像枚数を取得する。ここでは、縦方向に５枚の画像を並べて表示している。
【００３４】
次にステップ９０１でＣＰＵ１０１は、表示領域の横の辺の長さを取得する。ここで、タブレットの表示領域の大きさは、縦が１２００ピクセル、横が２０００ピクセルの表示画素数であるものとする。従って、表示領域の横の辺の長さとして２０００ピクセルという値を取得する。
【００３５】
次にステップ９０２でＣＰＵ１０１は、表示領域の横の辺に合わせたサムネイルサイズを算出する。２０００ピクセルの長さに画像５枚を並べて表示する必要があるため、最大サムネイルサイズの横の長さは４００ピクセルとなる。なお、前述したとおり、サムネイルの表示間隔を空けるように、表示するサムネイルサイズに余裕を持っても良い。
【００３６】
次にステップ９０３でＣＰＵ１０１は、算出したサムネイルサイズに従って、表示方向を入れ替えて画像を表示する。このようにして表示方向を入れ替えたものが、図８（ｂ）である。タブレット８１０の横方向に露出が異なる画像を並べて表示し、撮影時刻の異なる画像を縦方向に並べて表示している。連続撮影の設定枚数は６枚であるため、一部の画像は画面外にはみ出ることになる。タブレットの表示領域をを下方に移すことで、これらの画像も表示することが出来る。なお、画像を並べる方向を入れ替える際は、画面内に全ての画像群が収まるようにサムネイルサイズを決定しても良い。
【００３７】
以上のように、ここまでは撮影した画像群を表示領域内に効率良く並べる方法について説明してきた。このように並べて表示した画像は、細部を確認するために拡大表示することが考えられる。また使い勝手の点からも、選択した１枚の画像のみを表示するモードを設けた方が使い勝手が良い。そこで、以降は画像１枚のみを表示する表示モードへの遷移について説明する。
【００３８】
図１０（ａ）は露出ブラケットの設定枚数を５枚、連続撮影の設定枚数を４枚にして撮影した、計２０枚の画像群をタブレットに表示したものである。ここで、ユーザーが１００１の画像を拡大して確認したい場合は、画像１００１を選択することで、拡大表示モードに遷移することができる。画像１００１のみをタブレットに表示した拡大表示モードを示したものが、図１０（ｂ）である。また、図１０（ａ）の画像１００１を選択して、図１０（ｂ）の拡大表示モードに遷移する処理を示したものが、図１１（ａ）のフローチャートである。画像１００１を選択すると、ステップ１１００でＣＰＵ１０１は、選択された画像を拡大してタブレットに表示する。前述したように、画像１００１を選択すると、図１０（ｂ）のように、選択された画像のみをタブレットに表示する。即ち、画像１００１と画像１０１２が対応している。また、拡大表示モードで表示されるボタン１０１１は、元々表示していた図１０（ａ）の状態に戻るためのボタンである。ボタン１０１１を押下することで、図１０（ａ）の表示モードに遷移する。
【００３９】
次に、拡大表示モードにおいて、ブラケットや連続撮影の設定値が、現在表示中の拡大画像と近い値を持つ候補画像群を表示する例について、説明する。前述の説明と同様に、図１０（ａ）の画像１００１を選択すると、図１０（ｃ）の拡大表示モードに遷移する。図１０（ｃ）の拡大表示モードに遷移する際の処理を示したものが、図１１（ｂ）のフローチャートである。
【００４０】
画像１００１を選択すると、ステップ１１１０でＣＰＵ１０１は、選択された画像を拡大してタブレットに表示する。即ち、選択した画像を１０２０のように拡大して表示する。
【００４１】
次にステップ１１１１でＣＰＵ１０１は、選択された画像と連続撮影の設定値が同じ画像を、画面上部に並べて表示する。図１０（ｃ）の画面上部に表示している画像１０２５〜１０２９は、画像１００１、１００５〜１００８を表示したものである。画像１０２８は画像１００１と同じであり、画像１０２５〜１０２７、１０２９は、画像１００１と連続撮影の設定値が同じで、露出の設定値のみが異なる候補画像群となる。ここで、画像１０２８は拡大画像１０２０と同一のものであるため、画像１０２８が選択されていることが分かるように、画像の枠を太くして表示する。
【００４２】
次にステップ１１１２でＣＰＵ１０１は、選択された画像とブラケットの設定値が同じ画像を、画面左部に並べて表示する。ここで、画面左部に表示している画像１０２１〜１０２４は、画像１００１〜１００４を表示したものである。画像１０２３は画像１００１と同じであり、画像１０２１、１０２２、１０２４は、画像１００１と露出の設定値が同じで、連続撮影の設定値のみが異なる候補画像群となる。ここでも、画像１０２３は拡大画像１０２０と同一のものであるため、画像１０２３が選択されていることが分かるように、画像の枠を太くして表示する。このように、ユーザーが選択した画像１００１を拡大表示して、更に露出と連続撮影の片方の設定値のみが異なる候補画像群を、繊維前と同じ並び順で表示することによって、選択した画像の位置関係が一目で分かるようになっている。
【００４３】
次に、拡大画像群と候補画像群を表示した図１０（ｂ）の状態で、拡大画像１０２０を別の画像に切り替えた場合の動作について説明する。拡大画像の切り替え方法は、タブレット上で拡大画像を上下左右にフリックしたり、候補画像群１０２１〜１０２９を選択することで、切り替えることが可能となる。ここでは、画像１０２０を右方向にフリックした場合を例にして説明する。拡大画像を切り替えた際の処理を示したものが、図１１（ｃ）のフローチャートである。
【００４４】
ステップ１１２０でＣＰＵ１０１は、切り替え後の画像を拡大表示する。ここでは、画像１０２０を右方向にフリックしているため、画像１０２８の左に位置している画像１０２７を拡大して表示する。画像を切り替えた後にタブレットの表示状態を示したものが、図１０（ｄ）である。前述のように、拡大画像１０３０は、画像１０２７を拡大表示したものである。
【００４５】
次にステップ１１２１でＣＰＵ１０１は、画像横方向に切り替えたかたを判定する。ここでは画像を横方向に切り替えているため、ステップ１１２２へ進む。ステップ１１２２でＣＰＵ１０１は、画面左部の候補画像群を、切り替え後の拡大画像と同じブラケット設定値を持つ画像群に更新する。切り替え後の拡大画像１０３０は、露出の設定値として「±０」が設定されているので、露出の設定値が「±０」で連続撮影の設定値のみが異なる画像群を、画面左部に表示する。
【００４６】
次にステップ１１２３でＣＰＵ１０１は、拡大画像１０３０が選択状態となるように、画面上部と左部の画像選択状態を更新する。ここで、画像１０３０と同一の画像は１０３３、１０３７であるため、この２つの画像が選択状態になるようにする。また、ユーザーが画像を縦方向に切り替えた場合は、ステップ１１２４へ進む。
【００４７】
ステップ１１２４でＣＰＵ１０１は、画面上部の候補画像群を、切り替え後の拡大画像と同じ連続撮影の設定値を持つ画像群に更新する。このようにして、ユーザーが画像を切り替えた方向に合わせて拡大画像を更新すると共に、候補画像群とその選択状態も更新する。また、前述の実施例では縦と横方向に画像を切り替えた場合を例に説明したが、画像を斜め方向に切り替えることが出来ても良い。
【００４８】
今までの例では、並べて表示した画像から１枚を選択して、その１枚を拡大表示する際の説明をしてきた。ここで、拡大した画像の一部を更に部分拡大して、画像を確認するようなことも考えられる。特に、撮影した画像群は連続撮影とブラケット撮影を組み合わせて撮影したものであるため、細部を確認して画像毎の違いを比較することも考えられる。そこで、図１０（ｄ）のよう拡大表示した画像の一部を部分拡大して、その状態で別の画像に切り替えた場合の例について説明する。まず、図１０（ｄ）の状態で、拡大画像の一部を部分拡大すると、図１０（ｅ）の状態に遷移する。画像の一部を部分拡大する方法としては、タブレット上で画像をピンチアウトしたり、拡大率を変えるスライダーバーを設けて、スライダーバーを操作して拡大率を変更する方法が考えられる。画像１０３０の一部を部分拡大したものが、画像１０４０である。次に、この状態で画像１０４０を右方向にフリックした場合の処理について説明する。このときの処理を示したものが、図１１（ｄ）のフローチャートである。
【００４９】
ステップ１１３０でＣＰＵ１０１は、切り替え前の画像の表示情報を取得する。ここで、取得する表示情報とは、図１２に示したような、表示画像の拡大率と表示位置である。ここでは、画像１０４０の表示情報として１２００が取得できたものとする。画像情報１２００のうち、拡大率１２０１は、画像の拡大率を示したものである。即ち、画像１０４０は、画像１０３０を２００％に拡大して表示していることを示している。また、１２０２の表示位置Ｘと１２０３の表示位置Ｙは、表示している中心位置を画像の辺の長さの相対値で示したものである。即ち、画像１０４０の中心位置のＸ座標は、画像の横の辺を４：６で分割した位置であり、画像１０４０の中心位置のＹ座標は、画像の縦の辺を３：７で分割した位置であることを示している。このように、切り替え前の画像の表紙情報を取得することで、画像を切り替えた後でも、同じ拡大率で同じ位置を表示することが出来る。
【００５０】
次にステップ１１３１でＣＰＵ１０１は、ステップ１１３０で取得した拡大率が１００％であるかを判定する。ここで、拡大率１２０１は２００％であるため、ステップ１１３３へ進む。
【００５１】
ステップ１１３３でＣＰＵ１０１は、ステップ１１３０で取得した拡大率と表示位置に合わせて、切り替え後の画像を表示する。ここで、切り替え後の画像を表示した状態を示したものが、図１０（ｆ）である。ここでは画像を右方向にフリックしているため、露出の設定値が「±０」である画像１０５０が表示されている。また、画像１０５０は、画像１０４０と同じ拡大率で同じ位置が表示されている。このように、画像の一部を部分拡大した状態で画像を切り替えた場合でも、切り替え後の画像では同じ位置を同じ拡大率で確認することが出来る。
【００５２】
次に、撮影した画像群から所望の画像を検索する際に、ブラケットと連続撮影の異なる画像を２段階で検索する方法について述べる。図１３（ａ）は、タブレット上に並べて表示した画像群の中から画像１３００を選択した際の状態を示したものである。画像１３００を選択すると、露出ブラケットまたは連続撮影の設定値を固定するための吹き出し１３０１が表示される。吹き出し１３０１の中には、露出ブラケットの設定値を固定するためのボタン１３０２と、連続撮影の設定値を固定するためのボタン１３０３が存在する。ここでは、ユーザーがボタン１３０３を選択したものとする。ユーザーがボタン１３０３を選択すると、図１４（ａ）のフローチャートに沿って画像を表示する。
【００５３】
ステップ１４００でＣＰＵ１０１は、選択された画像を拡大表示する。ここでは画像１３００が選択されているので、画像１３００を拡大表示する。画像１３００を拡大表示したものが、図１３（ｂ）である。タブレット中央の画像１３１０が、画像１３００を拡大表示したものである。
【００５４】
次にステップ１４０１でＣＰＵ１０１は、ブラケットの設定値を固定するためのボタンが押下されたのかを判定する。ここでは、連続撮影の設定値を固定するボタン１３０３を押下しているので、ステップ１４０３へ進む。
【００５５】
ステップ１４０３でＣＰＵ１０１は、選択した画像１３００と連続撮影の設定値が同じ画像を画面上部に並べて表示する。このように、連続撮影の設定値を固定するボタンを押下した場合は、選択した画像を拡大表示する共に、連続撮影の設定値が同じ候補画像群を並べて表示する。
【００５６】
次にユーザーが画面上部の１３１１を押下した場合の処理について、図１４（ｂ）のフローチャートを用いて説明する。
【００５７】
ステップ１４１０でＣＰＵ１０１は、選択された画像を拡大表示する。ここでは画像１３１１が選択されているので、画像１３１１を拡大表示する。画像１３１１を拡大表示したものが、図１３（ｃ）である。タブレット中央の画像１３２０が、画像１３１１を拡大表示したものである。
【００５８】
次にステップ１４１１でＣＰＵ１０１は、最初に押下されたボタンがブラケットの設定値を固定するためのボタンであるかを判定する。ここでは、連続撮影の設定値を固定するボタン１３０３を押下しているので、ステップ１４１３へ進む。
【００５９】
ステップ１４１３でＣＰＵ１０１は、選択した画像１３００とブラケットの設定値が同じ画像を画面左部に並べて表示する。このように、ブラケットの設定値を決めた後は、連続撮影の設定値を決めることが出来るようになっている。ここで、画面左部に表示されている画像を選択すると、その画像が拡大表示されるものとする。以上は、最初に連続撮影の設定値を固定するためのボタンを押下した場合であったが、ブラケットの設定値を固定するためのボタンを押下した場合は、図１４（ａ）のフローチャートに沿って図１３（ｃ）の表示状態に遷移する。そして、画面左部のいずれかの画像を選択すると、図１４（ｂ）のフローチャートに沿って図１３（ｂ）の表示状態に遷移する。
【００６０】
次に、複数のブラケット設定で連続撮影した画像群を表示する際の例について説明する。ここでは、露出とホワイトバランスの２つブラケット設定で連続撮影したものとする。図５（ｂ）に示すように、「−２」「±０」「＋２」の露出の設定値、「−５」「±０」「＋５」のホワイトバランスの設定値、「１」「２」「３」「４」の連続撮影の設定値を持つ画像群を撮影したものとする。ここで、図１６のフローチャートは、これらの画像群を表示する際の最初の処理を示したものである。
【００６１】
ステップ１６００でＣＰＵ１０１は、連続撮影の情報を取得する。ここでは、画像群が連続撮影の設定を行っているかの情報を取得する。
【００６２】
次に、ステップ１６０１でＣＰＵ１０１は，ブラケット撮影の情報を取得する。図５より、露出とホワイトバランスのブラケット撮影を行っていることが分かる。
【００６３】
次にステップ１６０２でＣＰＵ１０１は、取得した撮影条件をタブレット上に表示する。ここでは、連続撮影と２つのブラケット撮影で撮影していることが分かったため、これからの項目をタブレット上に表示する。タブレット上に表示したものが、図１５（ａ）である。１５０１〜１５０３に、連続撮影と２つのブラケットの項目名が表示されていることが分かる。ユーザーは、これらの項目の中から、最初に表示する２つの撮影条件を選択することが出来る。ここでは、連続撮影と露出ブラケットを選択したものとする。これらの項目を選択してＯＫボタン１５０４を押下すると、選択した撮影条件に従った画像を並べて表示する。ここでの画像表示方法は、前述の通りである。画像を並べて表示したものが、図１５（ｂ）である。ここで、ユーザーが任意の画像を選択すると、選択した画像を拡大表示すると共に、選択した画像と同じ設定値を持つ候補画像群を表示する。即ち、ユーザーが画像１５１１を選択した場合は、画像１５１１を拡大表示すると共に、連続撮影の設定値が「３」で、露出の設定値が「±０」である候補画像群を表示する。このようにして、拡大画像と候補画像群を表示したものが、図１５（ｃ）である。画像１５１１を拡大表示したものが画像１５２０であり、候補画像群が１５２１〜１５２３となる。このようにして、複数のブラケット設定値を持つ画像を連続撮影した場合でも、前述の手順によって、所望の画像を検索することが出来る。
【００６４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００６５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６６】
１００  タブレット、１０１  ＣＰＵ、１０３  二次記憶装置
【図１】
2016192613.tif 000003
【図２（ａ）】
2016192613.tif 000004
【図２（ｂ）】
2016192613.tif 000005
【図３（ａ）】
2016192613.tif 000006
【図３（ｂ）】
2016192613.tif 000007
【図３（ｃ）】
2016192613.tif 000008
【図３（ｄ）】
2016192613.tif 000009
【図４】
2016192613.tif 000010
【図５（ａ）】
2016192613.tif 000011
【図５（ｂ）】
2016192613.tif 000012
【図６（ａ）】
2016192613.tif 000013
【図６（ｂ）】
2016192613.tif 000014
【図７】
2016192613.tif 000015
【図８（ａ）】
2016192613.tif 000016
【図８（ｂ）】
2016192613.tif 000017
【図９】
2016192613.tif 000018
【図１０（ａ）】
2016192613.tif 000019
【図１０（ｂ）】
2016192613.tif 000020
【図１０（ｃ）】
2016192613.tif 000021
【図１０（ｄ）】
2016192613.tif 000022
【図１０（ｅ）】
2016192613.tif 000023
【図１０（ｆ）】
2016192613.tif 000024
【図１１（ａ）】
2016192613.tif 000025
【図１１（ｂ）】
2016192613.tif 000026
【図１１（ｃ）】
2016192613.tif 000027
【図１１（ｄ）】
2016192613.tif 000028
【図１２】
2016192613.tif 000029
【図１３（ａ）】
2016192613.tif 000030
【図１３（ｂ）】
2016192613.tif 000031
【図１３（ｃ）】
2016192613.tif 000032
【図１４（ａ）】
2016192613.tif 000033
【図１４（ｂ）】
2016192613.tif 000034
【図１５（ａ）】
2016192613.tif 000035
【図１５（ｂ）】
2016192613.tif 000036
【図１５（ｃ）】
2016192613.tif 000037
【図１６】
2016192613.tif 000038